(57)【要約】  ＡＲＣ部（３０８）のハイカット制御部（４０２）では、電界レベルノイズ信号、ノイズレベル信号およびソース種別判別信号に基づいてハイカット制御量調整回路（４０９）がハイカット制御の制御量を調整し、また、セパレーション制御部（４０３）では、電界レベル信号、ノイズレベル信号および再生モード判別信号に基づいてセパレーション制御量調整回路（４１２）がセパレーション回路（４１０）におけるセパレーション制御の制御量を調整する。【特許請求の範囲】
【請求項１】
受信した放送電波信号の電界レベルとノイズレベルとを検出するとともに、当該検出の結果に基づいて前記放送電波信号の受信状態を制御する受信制御手段を備えた受信装置において、
前記放送電波信号を媒介にして送信される放送ソースに関する情報を前記放送電波信号から取得するソース判別手段をさらに備え、
前記受信制御手段は、さらに前記ソース判別手段で取得された前記放送ソースに関する情報に基づいて、前記受信状態を制御することを特徴とする受信装置。
【請求項２】
前記受信制御手段は、
受信状態設定要素である前記電界レベルと前記ノイズレベルと前記放送ソースに関する情報と、これらの３つの前記受信状態設定要素の組み合わせに対応して設定された受信状態最適制御量と、を格納したデータを予め記憶した記憶手段と、
検出された前記電界レベルと前記ノイズレベルと前記放送ソースに関する情報とに基づいて、前記記憶手段に記憶したデータから前記受信状態における最適制御量を検索する検索手段と、を備え、
前記検索手段による検索で取得された当該最適制御量に基づいて、前記受信状態を制御することを特徴とする請求項１に記載の受信装置。
【請求項３】
前記受信制御手段は、
検出された前記電界レベルと前記ノイズレベルとに基づいて、前記受信状態における第１の制御量を取得するとともに、検出された前記放送ソースの情報に基づいて、前記受信状態における第２の制御量を取得し、
前記第１の制御量と前記第２の制御量とを演算処理して前記受信状態の最適制御量を取得し、当該最適制御量に基づいて、前記受信状態を制御することを特徴とする請求項１に記載の受信装置。
【請求項４】
前記ソース判別手段は、前記放送ソースが音楽ソースおよび音声ソースのいずれのソース種別であるかを判別するソース種別判別手段を備えることを特徴とする請求項１に記載の受信装置。
【請求項５】
前記ソース種別判別手段は、前記放送電波信号に周波数が所定値以上の高域成分が含まれるか否かにより、前記ソース種別の判別を行うことを特徴とする請求項４に記載の受信装置。
【請求項６】
前記受信制御手段は、前記受信状態の制御としてハイカット制御を行い、前記放送電波信号の前記電界レベルと前記ノイズレベルと、前記ソース種別の判別結果とに応じて、前記ハイカット制御における制御量を調整することを特徴とする請求項４または５に記載の受信装置。
【請求項７】
前記ソース判別手段は、前記放送ソースがステレオモードおよびモノラルモードのいずれの再生モードに適するかを判別する再生モード判別手段を備えることを特徴とする請求項１に記載の受信装置。
【請求項８】
前記再生モード判別手段は、前記放送電波信号にサブ信号が含まれるか否かにより、前記再生モードの判別を行うことを特徴とする請求項７に記載の受信装置。
【請求項９】
前記受信制御手段は、前記受信状態の制御としてセパレーション制御を行い、前記放送電波信号の前記電界レベルと前記ノイズレベルと、前記再生モードの判別結果とに応じて、前記セパレーション制御における制御量を調整することを特徴とする請求項７または８に記載の受信装置。
【請求項１０】
前記ソース判別手段は、ＦＦＴ分析手段、ｗａｖｅｌｅｔ分析手段またはＢＰＦを備えることを特徴とする請求項１に記載の受信装置。
【請求項１１】
受信した放送電波信号の電界レベルとノイズレベルとを検出する検出工程と、当該検出の結果に基づいて前記放送電波信号の受信状態を制御する受信制御工程とを含む受信方法において、
前記放送電波信号を媒介にして送信される放送ソースに関する情報を前記放送電波信号から取得するソース判別工程をさらに含み、
前記受信制御工程は、さらに前記ソース判別工程で取得された前記放送ソースに関する情報に基づいて、前記受信状態を制御することを特徴とする受信方法。
【発明の詳細な説明】
【技術分野】
【０００１】
この発明は、受信装置および受信方法に関する。ただし、本発明の利用は前述の受信装置および受信方法には限らない。
【背景技術】
【０００２】
ＦＭ放送の移動受信を行う受信装置、例えば車載用受信装置は、受信位置の変化に伴ってＦＭ電波信号の受信状況（具体的には受信電界強度等）が変動することから、当該受信状況の変動に応じて受信状態を適切に変化させるＡＲＣ（自動受信制御）機能を有する（例えば、特許文献１参照。）。図１は、従来の受信装置の構成を示すブロック図である。【０００３】
図１に示すように、受信装置は、アンテナ１０１と、ＲＦ回路から構成されるＲＦ部１０２と、混合器（ＭＩＸ）１０３と、ＩＦ回路から構成されるＩＦ部１０４と、電界強度メータを備えたシグナルメータ部１０５と、ＦＭ検波部１０６と、ＡＲＣ部１０７と、ＭＰＸ回路から構成されるステレオ復調部１０８とを主たる構成要素として備える。これらの各構成要素１０１〜１０８は、基板のパターンもしくはＩＣ内配線等からなる伝送線路によりそれぞれ接続されている。【０００４】
この受信装置では、アンテナ１０１で受信したＦＭ電波信号が、ＲＦ部１０２において高周波増幅される。そして、増幅された信号は、混合器１０３を介してＩＦ部１０４に出力される。ＩＦ部１０４では、入力された信号が中間周波数に変換されて増幅される。そして、ＩＦ部１０４で処理された信号は、シグナルメータ部１０５に出力されるとともに、ＦＭ検波部１０６に出力される。【０００５】
シグナルメータ部１０５では、ＩＦ部１０４から出力された信号の電界強度レベル（以下、電界レベルと略す）が検出され、この電界レベルの検出結果（以下、電界レベル信号と呼ぶ）が、ＡＲＣ部１０７に出力される。一方、ＦＭ検波部１０６では、ＩＦ部１０４の出力からＦＭ検波信号が取得され、当該ＦＭ検波信号が音声信号としてＡＲＣ部１０７に出力される。【０００６】
電界レベル信号とＦＭ検波信号とが入力されたＡＲＣ部１０７は、ＦＭ電波信号の受信状態（具体的には、後述するようにＦＭ電波信号の電界レベルやノイズレベル）に応じて、セパレーション制御、ハイカット制御およびミュート制御の各制御をＦＭ検波信号に対して適宜行う。このようにＡＲＣ部１０７において各制御が処されたＦＭ検波信号は、続いてステレオ復調部１０８に出力される。【０００７】
ステレオ復調部１０８に入力されたＦＭ検波信号は、メイン信号とパイロット信号とサブ信号とで構成されたコンポジット信号であり、メイン信号は、左右の信号（すなわちＬ信号とＲ信号）の和である（Ｌ＋Ｒ）信号と表され、サブ信号は、左右の信号の差である（Ｌ−Ｒ）信号と表される。ステレオ復調部１０８は、メイン信号とサブ信号、すなわち（Ｌ＋Ｒ）信号と（Ｌ−Ｒ）信号とを加算する。それにより、左右のステレオ信号を取得、言い換えれば、ＦＭ検波信号を左右の出力信号に分離することが可能となる。【０００８】
上記の受信動作が行われる受信装置では、ＡＲＣ部１０７におけるセパレーション制御、ハイカット制御およびミュート制御によって、ＦＭ電波信号の電波状況に応じて受信装置の受信状態が自動制御される。それにより、ＦＭ電波の状態変動が絶えず生じる移動受信において、良好な聴感を実現することが可能となる。以下に、ＡＲＣ部１０７における制御動作の詳細を説明する。【０００９】
ＡＲＣ部１０７においては、受信したＦＭ電波信号の電界レベルの低下に応じて再生モードをステレオモードからモノラルモードに連続的に自動で切り替えるセパレーション制御と、電界レベルの低下に応じてＦＭ検波信号の高域成分を連続的に自動で低減させるハイカット制御と、電界レベルの低下に応じてＦＭ検波信号の出力レベルを連続的に自動で低減させるミュート制御とが実行される。例えば、この場合、ＡＲＣ部１０７では、セパレーション制御、ハイカット制御およびミュート制御の各制御が開始する電界レベルが予めそれぞれ設定されており、シグナルメータ部１０５で検出された電界レベルが、この設定された各電界レベルに達すると、各制御が実行される。【００１０】
図２は、図１のＡＲＣ部１０７における受信状態の制御動作を説明するための図である。図２において、グラフ２０１は、図１のＦＭ検波部１０６で取得されたＦＭ検波信号のサブ信号（すなわち（Ｌ−Ｒ）信号）を示している。また、グラフ２０２およびグラフ２０３は、ＦＭ検波信号の１ｋＨｚ成分および１０ｋＨｚ成分を示している。【００１１】
さらに、図２において、横軸は、図１のシグナルメータ部１０５で検出されるＦＭ電波信号の電界レベルを示しており、電界レベルが大きいほど受信状態が良好である。また、右縦軸は、グラフ２０２のセパレーション（分離度）を示しており、セパレーション（分離度）が大きいほど良好なステレオ再生が実現される。また、左縦軸は、グラフ２０２およびグラフ２０３の出力レベルを示している。【００１２】
図２のグラフ２０１に示すように、ＦＭ電波信号が強電界レベルである場合には、図１のＡＲＣ部１０７は、ＦＭ検波信号のセパレーション（分離度）を大きくするようなセパレーション制御を行う。具体的に、かかる場合には、セパレーション制御動作における制御量を低減させ、セパレーションを促進してＬ信号とＲ信号との分離を促進する。それにより、図１のステレオ復調部１０８では、分離されたＬ信号とＲ信号とにより、ステレオモードの良好なＦＭ放送が実現される。【００１３】
一方、ＦＭ電波信号の電界レベルが低下してＶ１となると、図１のＡＲＣ部１０７は、ＦＭ検波信号のセパレーション（分離度）を抑制するようにセパレーション制御を行う。具体的に、かかる場合には、セパレーション制御動作における制御量を増加させ、セパレーションを抑制してＬ信号とＲ信号との分離を抑制する。そして、電界レベルがさらに低下してＶ２に達すると、セパレーション制御動作における制御量をさらに増加させ、それにより、Ｌ信号とＲ信号との分離が行われなくなる。その結果、図１のステレオ復調部１０８において、ステレオモードからモノラルモードに放送モードが切り替わる。【００１４】
また、グラフ２０２に示すように、図１のＡＲＣ部１０７は、ＦＭ電波信号がＶ３以上である場合には、ＦＭ検波信号の１０ｋＨｚ成分の除去（すなわちハイカット制御動作）を停止または抑制する。具体的に、かかる場合には、ハイカット制御動作における制御量を小さくし、ハイカット制御動作を停止または抑制する。一方、電界レベルがＶ３よりも低下すると、図１のＡＲＣ部１０７は、ハイカット制御動作における制御量を増加させる。それにより、ハイカット制御動作が促進されて１０ｋＨｚ成分が低減される。【００１５】
また、グラフ２０３に示すように、図１のＡＲＣ部１０７は、ＦＭ電波信号がＶ４以上である場合には、ＦＭ検波信号の全帯域成分の除去（すなわちミュート制御動作）を停止または抑制する。具体的に、かかる場合には、ミュート制御動作における制御量を小さくし、ミュート制御動作を停止または抑制する。一方、ＦＭ電波信号の電解レベルがＶ４よりも低下すると、図１のＡＲＣ部１０７は、ミュート制御動作における制御量を増加させる。それにより、ミュート制御動作が促進されて全帯域成分が低減される。【００１６】
このように、ＡＲＣ部１０７による受信状態の自動制御が行われる受信装置では、ＦＭ電波信号の電界レベルに応じて、セパレーション制御、ハイカット制御およびミュート制御の各制御における制御量が適宜決定されている。それにより、ＦＭ電波信号の電界変動に対応して、適切な受信状態を安定して実現することが可能となる。【００１７】
なお、ここではＦＭ電波信号の電界レベルに基づいて各制御が行われる場合について説明したが、ＦＭ電波信号に含まれるノイズレベルに応じて各制御が行われてもよい。ノイズレベルに応じて各制御を行う場合には、ノイズレベルが弱いほど、セパレーション制御、ハイカット制御およびミュート制御の各制御における制御量が低減されて制御動作が抑制され、また、ノイズレベルの増加に伴って制御量を増加させて各制御動作を促進する。通常は、ＦＭ電波信号の電界レベルとノイズレベルとに応じて、各制御動作が行われる。【００１８】
【特許文献１】実開平６−１３２４７号公報
【発明の開示】
【発明が解決しようとする課題】
【００１９】
受信装置では、ＦＭ電波信号の状態、例えば電界レベルやノイズレベルが変動しても、上記のようなＡＲＣ部１０７における受信状態の自動制御により、随時、ノイズの低減化を図り良好な聴感の実現を図るものである。それゆえ、ＡＲＣ部１０７では、ノイズの低減化のために、セパレーション制御、ハイカット制御およびミュート制御の各制御における制御量が、電界レベルやノイズレベルに応じてそれぞれ予め設定されており、当該設定に基づいて各制御が実行される。【００２０】
ところで、このようにノイズの低減を目的とするＡＲＣ部１０７の各制御では、電界レベルやノイズレベルから把握されるＦＭ電波信号の状態変動とは別の観点、具体的には、ＦＭ電波信号により媒介されるＦＭ放送のソース（以下、ＦＭソースと呼ぶ）に関する点を考慮して受信状態を制御することはできない。【００２１】
ＦＭソースに関する情報としては、例えば、ＦＭソースの種別に関する情報や、ＦＭソースの再生モードに関する情報等が挙げられる。まず、ＦＭソースの種別に関する情報とは、具体的には、ＦＭソースが、音楽ソースであるか音声ソースであるかの情報である。なお、ここでは、人の話し声から構成されるＦＭソースを、音声ソースと呼ぶ。【００２２】
ここで、ＦＭソースが音楽ソースである場合には、ＦＭ検波信号が高周帯域の成分（すなわち高域成分）を含むのに対して、音声ソースである場合には、ＦＭ検波信号が高域成分を含まない。それゆえ、電界レベルおよびノイズレベルが同じである状況下では、音声ソースの場合は、音楽ソースの場合よりもＡＲＣ部１０７のハイカット制御における制御量を増加させてハイカットを促進させた方が良好な聴感を実現することが可能となる。【００２３】
上記のようにＦＭソースに対応して受信状態を適宜制御しようとすると、セパレーション制御、ハイカット制御およびミュート制御の各制御における制御量を、ソースの種別や出力モードに応じてそれぞれ適切に設定する必要がある。しかしながら、受信装置では、前述のように、各制御における制御量が電界レベルやノイズレベルに基づいて設定されているため、ＦＭソースに対応して適切な受信状態の制御を実現することができない。
【課題を解決するための手段】
【００２４】
請求項１に記載の発明にかかる受信装置は、受信した放送電波信号の電界レベルとノイズレベルとを検出するとともに、当該検出の結果に基づいて前記放送電波信号の受信状態を制御する受信制御手段を備えた受信装置において、前記放送電波信号を媒介にして送信される放送ソースに関する情報を前記放送電波信号から取得するソース判別手段をさらに備え、前記受信制御手段は、さらに前記ソース判別手段で取得された前記放送ソースに関する情報に基づいて、前記受信状態を制御することを特徴とする。【００２５】
請求項１１に記載の発明にかかる受信方法は、受信した放送電波信号の電界レベルとノイズレベルとを検出する検出工程と、当該検出の結果に基づいて前記放送電波信号の受信状態を制御する受信制御工程とを含む受信方法において、前記放送電波信号を媒介にして送信される放送ソースに関する情報を前記放送電波信号から取得するソース判別工程をさらに含み、前記受信制御工程は、さらに前記ソース判別工程で取得された前記放送ソースに関する情報に基づいて、前記受信状態を制御することを特徴とする。
【図面の簡単な説明】
【００２６】
【図１】図１は、従来の受信装置の構成を示すブロック図である。
【図２】図２は、図１のＡＲＣ部における受信状態の制御動作を説明するための図である。
【図３】図３は、本発明の実施の形態にかかる受信装置の構成を示すブロック図である。
【図４】図４は、本発明の実施例１における受信装置のＡＲＣ部の構成を示すブロック図である。
【図５】図５は、電界レベル信号を説明するための図である。
【図６】図６は、ノイズレベル信号を説明するための図である。
【図７】図７は、ソース種別判別信号を説明するための図である。
【図８】図８は、再生モード判別信号を説明するための図である。
【図９】図９は、ハイカット制御量調整回路の動作を説明するためのフローチャートである。
【図１０】図１０は、記憶部に記憶されたデータの内容を示す概略図である。
【図１１】図１１は、ソース判別部の構成の一例を示すブロック図である。
【図１２】図１２は、図１１のソース判別部におけるソース種別判別動作および再生モード判別動作を説明するための図である。
【図１３】図１３は、図１１のソース判別部におけるソース種別判別動作および再生モード判別動作を説明するための図である。
【図１４】図１４は、図１１のソース判別部におけるソース種別判別動作および再生モード判別動作を説明するための図である。
【図１５】図１５は、ソース判別部の構成の他の例を示すブロック図である。
【図１６】図１６は、図１５のソース判別部におけるソース種別判別動作および再生モード判別動作を説明するための図である。
【図１７】図１７は、図１５のソース判別部におけるソース種別判別動作および再生モード判別動作を説明するための図である。
【図１８】図１８は、図１５のソース判別部におけるソース種別判別動作および再生モード判別動作を説明するための図である。
【図１９】図１９は、本発明の実施例２におけるハイカット制御量調整回路の動作を説明するためのフローチャートである。
【符号の説明】
【００２７】
３０１  アンテナ
３０２  ＲＦ部
３０３  混合器
３０４  ＩＦ部
３０５  シグナルメータ部
３０６  ＦＭ検波部
３０７  ソース判別部
３０８  ＡＲＣ部
３０９  ステレオ復調部
４０１  ミュート制御部
４０２  ハイカット制御部
４０３  セパレーション制御部
４０６  ハイカット回路
４０９  ハイカット制御量調整回路
４１０  セパレーション回路
４１２  セパレーション制御量調整回路
１１０２  音楽／音声ソース判別回路
１１０３  ステレオ／モノラルモード判別回路
【発明を実施するための最良の形態】
【００２８】
以下に添付図面を参照して、この発明にかかる受信装置の好適な実施の形態を詳細に説明する。この実施の形態は、良好な受信状態を安定して維持することが可能であり、かつ、ＦＭソースに応じた適切な受信状態を実現することが可能な受信装置を提供することを目的とする。【００２９】
図３は、本発明の実施の形態にかかる受信装置の構成を示すブロック図である。図３に示すように、受信装置は、アンテナ３０１と、ＲＦ回路から構成されるＲＦ部３０２と、混合器（ＭＩＸ）３０３と、ＩＦ回路から構成されるＩＦ部３０４と、電界強度メータを備えたシグナルメータ部３０５と、ＦＭ検波部３０６と、ソース判別部３０７と、ＡＲＣ部３０８と、ＭＰＸ回路から構成されるステレオ復調部３０９とを構成要素として備える。【００３０】
これらの各構成要素３０１〜３０９は、基板のパターンもしくはＩＣ内配線等で形成された伝送線路３１０によりそれぞれ接続されている。具体的には、アンテナ３０１、ＲＦ部３０２、混合器３０３およびＩＦ部３０４が、伝送線路３１０を介してこの順で直列接続されている。そして、ＩＦ部３０４の出力側とＡＲＣ部３０８の入力側とは、並列に形成された３つの伝送線路３１０、すなわち、シグナルメータ部３０５が間に配設された伝送線路３１０と、ＦＭ検波部３０６が間に配設された伝送線路３１０と、ソース判別部３０７が間に配設された伝送線路３１０によって接続されている。ＡＲＣ部３０８の出力側は、さらに伝送線路３１０を介してステレオ復調部３０９の入力側に接続されている。【００３１】
次に、かかる構成の受信装置の受信動作について説明する。まず、アンテナ３０１で受信されたＦＭ電波信号は、ＲＦ部３０２において高周波増幅される。そして、増幅された信号は、混合器３０３を介してＩＦ部３０４に出力される。ＩＦ部３０４では、入力された信号が中間周波数に変換されて増幅される。ＩＦ部３０４で処理された信号は、各伝送線路３１０を通じて、シグナルメータ部３０５、ＦＭ検波部３０６およびソース判別部３０７にそれぞれ出力される。【００３２】
シグナルメータ部３０５では、ＩＦ部３０４から出力された信号の電界レベルが検出される。そして、その検出結果が、電界レベル信号としてＡＲＣ部３０８に出力される。また、ＦＭ検波部３０６では、ＩＦ部３０４から出力された信号からＦＭ信号が検波され、音声信号に相当するＦＭ検波信号としてＡＲＣ部３０８に出力される。この時、ＦＭ検波信号に含まれる高周波成分に基づいて、当該信号のノイズレベルも同時に検出される。そして、その検出結果が、ノイズレベル信号としてＡＲＣ部３０８に出力される。【００３３】
なお、ここではＦＭ検波部３０６においてノイズレベルの検出が行われる場合を例示するが、これ以外に、シグナルメータ部３０５においてノイズレベルの検出が行われる構成であってもよい。この場合には、シグナルメータ部３０５に入力されたＦＭ電波信号に含まれる高周波成分に基づいて、ノイズレベルが検出される。そして、その検出結果が、ノイズレベル信号としてＡＲＣ部３０８に出力される。【００３４】
また、ソース判別部３０７では、ＩＦ部３０４から出力された信号について、ソースの判別、具体的には、ソース種別の判別およびソースの再生モードの判別が行われる。そして、その判別結果が、ソース情報の信号、すなわち、ソース種別判別信号および再生モード判別信号として、ＡＲＣ部３０８に出力される。【００３５】
ＡＲＣ部３０８では、入力された電界レベル信号とノイズレベル信号と再生モード判別信号とに応じて、適切な制御量で、ＦＭ検波信号に対してセパレーション制御が行われる。また、入力された電界レベル信号とノイズレベル信号とソース種別判別信号とに応じて、適切な制御量で、ＦＭ検波信号に対してハイカット制御が行われる。さらに、電界レベル信号とノイズレベル信号とに応じて、適切な制御量で、ＦＭ検波信号に対してミュート制御が行われる。【００３６】
このようにＡＲＣ部３０８において各制御が施されたＦＭ検波信号は、ステレオ復調部３０９に出力される。ステレオ復調部３０９は、従来と同様の方法によりＦＭ検波信号から左右の各ステレオ信号（すなわち、Ｌ信号とＲ信号）を取得する。【００３７】
以上のように、実施の形態にかかる受信装置では、ＡＲＣ部３０８におけるセパレーション制御、ハイカット制御およびミュート制御により、ＦＭ電波の電波状況（具体的には電界レベルおよびノイズレベル）と、ＦＭソース（具体的にはソース種別と再生モード）とに応じて、受信状態が適宜かつ適切に自動制御される。それにより、ＦＭ電波の電波状況に変動が生じても、良好な受信を安定して実現することが可能となり、かつ、ソースに対応した適切な受信を実現することが可能となる。【００３８】
すなわち、実施の形態にかかる受信装置では、ノイズの低減に着目した受信状態の制御が実行可能となり、さらに、ＦＭソースの内容に対応した適切な受信状態の制御が実行可能となる。したがって、受信装置は、ノイズの低減化の観点と、ＦＭソースの内容の観点とに鑑み、両観点を満足させる受信状態の制御を実現することが可能となる。このような受信装置では、ノイズレベルの低減化のみに着目して制御が実行される従来の場合に比べて、より良好な聴感を実現することが可能となる。
【実施例１】
【００３９】
実施例１の受信装置は、図３に示す構成と同様の構成を有している。そして、図３のＡＲＣ部３０８が、以下の詳細構成を有する。図４は、本発明の実施例１における受信装置のＡＲＣ部３０８（図３参照）の構成を示すブロック図である。図４に示すように、ＡＲＣ部３０８は、受信制御部３０８ａと、記憶部３０８ｂと、検索部３０８ｃとを備える。かかる構成のＡＲＣ部３０８が、受信制御手段に相当する。【００４０】
ＡＲＣ部３０８の受信制御部３０８ａは、入力されたＦＭ検波信号に対してミュート制御を行うミュート制御部４０１と、ハイカット制御を行うハイカット制御部４０２と、セパレーション制御を行うセパレーション制御部４０３とから構成される。ミュート制御部４０１は、ミュート回路４０４と、ミュート回路４０４の設定を調整して当該回路で実行されるミュート制御動作における制御量を調整するミュート制御量調整回路４０５とを備える。【００４１】
また、ハイカット制御部４０２は、ハイカット回路４０６と、ハイカット回路４０６の設定を調整して当該回路で実行されるハイカット制御動作における制御量を調整するハイカット制御量調整回路４０９とを備える。具体的には、ハイカット回路４０６は、ＬＰＦ４０７とＶＣＡ４０８とを備え、ミュート回路４０４から出力された信号が、ＶＣＡ４０８に直接入力可能であるとともに、当該信号がＬＰＦ４０７を介してＶＣＡ４０８に入力可能であるように、並列に伝送線路が形成されている。後述するように、ＬＰＦ４０７とＶＣＡ４０８とはハイカット制御量調整回路４０９により制御されおり、ハイカット制御量調整回路４０９により設定された制御量にしたがってハイカット制御動作を実行する。【００４２】
セパレーション制御部４０３は、セパレーション回路４１０と、セパレーション回路４１０の設定を調整して当該回路で実行されるセパレーション制御動作における制御量を調整するセパレーション制御量調整回路４１２とを備える。具体的には、セパレーション回路４１０はＶＣＡ４１１を備え、ハイカット制御部４０２から出力された信号が、ＶＣＡ４１１に入力される。後述するように、ＶＣＡ４１１は、セパレーション制御量調整回路４１２により制御されており、セパレーション制御量調整回路４１２により設定された制御量にしたがってセパレーション制御動作を実行する。【００４３】
記憶部３０８ｂは、受信制御部３０８ａのハイカット制御部４０２におけるハイカット制御動作の制御量と、セパレーション制御部４０３におけるセパレーション制御動作制御量とを、ＦＭ電波信号の電界レベルおよびノイズレベルとＦＭソースの内容とに応じて適切に設定するためのデータ（具体的には、後述の図１０に示すデータ）を記憶する。【００４４】
また、検索部３０８ｃは、ハイカット制御量調整回路４０９およびセパレーション制御量調整回路４１２に入力された電界レベル信号と、ノイズレベル信号と、ソース種別判別信号または再生モード判別信号とに基づいて、記憶部３０８ｂに記憶されたデータから、最適な制御量を検索する。【００４５】
次に、実施例１の受信装置の受信動作を、図４のＡＲＣ部３０８の動作を中心に説明する。まず、受信装置では、図３に示すように、アンテナ３０１でＦＭ電波信号が受信される。そして、従来の受信装置の場合と同様、ＦＭ電波信号は、ＲＦ部３０２、混合器３０３およびＩＦ部３０４に順次入力されて各処理を受ける。さらに、ＩＦ部３０４を経た信号は、シグナルメータ部３０５、ＦＭ検波部３０６およびソース判別部３０７にそれぞれ出力される。【００４６】
シグナルメータ部３０５は、入力されたＦＭ電波信号の電界レベルを検出する。そして、その検出結果が、図４に示すように、電界レベル信号として、ＡＲＣ部３０８のミュート制御量調整回路４０５、ハイカット制御量調整回路４０９およびセパレーション制御量調整回路４１２にそれぞれ入力される。【００４７】
また、図３のＦＭ検波部３０６は、ＩＦ部３０４の出力信号からＦＭ検波信号を取得するとともに、当該ＦＭ検波信号のノイズレベルを検出する。ＦＭ検波部３０６で取得されたＦＭ検波信号は、図４に示すように、ＡＲＣ部３０８に入力され、ミュート回路４０４、ハイカット回路４０６およびセパレーション回路４１０を順次経てステレオ復調回路へ出力される。一方、ノイズレベルの検出結果は、ノイズレベル信号として、ＡＲＣ部３０８のミュート制御量調整回路４０５、ハイカット制御量調整回路４０９およびセパレーション制御量調整回路４１２にそれぞれ入力される。【００４８】
また、図３のソース判別部３０７は、ＩＦ部３０４の出力信号から、ＦＭソースのソース種別が音声ソースおよび音楽ソースのいずれであるか、また、ＦＭソースの再生モードがモノラルモードおよびステレオモードのいずれに適するかを判別する。かかる判別方法の詳細については、図５等を用いて後述する。図４に示すように、ソース判別部３０７（図３参照）により取得されたソース種別の情報は、ソース種別判別信号として、ＡＲＣ部３０８のハイカット制御量調整回路４０９に出力される。一方、ＦＭソースの再生モードの情報は、再生モード判別信号として、ＡＲＣ部３０８のセパレーション制御量調整回路４１２に出力される。【００４９】
ＡＲＣ部３０８は、上記のように入力された電界レベル信号、ノイズレベル信号、ソース種別判別信号および再生モード判別信号に基づいて、ＦＭ検波信号のミュート制御、ハイカット制御およびセパレーション制御の各制御を適宜行う。そして、ここでは、各制御を適切に行うために、ＡＲＣ部３０８のミュート制御量調整回路４０５、ハイカット制御量調整回路４０９およびセパレーション制御量調整回路４１２が、入力された各信号に応じて、ミュート回路４０４、ハイカット回路４０６およびセパレーション回路における各制御動作の制御量を調整する。【００５０】
図５は、電界レベル信号を説明するための図である。また、図６は、ノイズレベル信号を説明するための図である。また、図７は、ソース種別判別信号を説明するための図である。また、図８は、再生モード判別信号を説明するための図である。【００５１】
図５〜図８に示すように、電界レベル信号、ノイズレベル信号、ソース種別判別信号および再生モード判別信号の各々では、電界レベル、ノイズレベル、ソース種別および再生モードが、それぞれ数値化して段階的に表される。例えば、図５に示すように、電界レベル信号は、電界レベルの強い方から弱い方に順に０〜１０の各段階で数値が設定されている。また、図６に示すように、ノイズレベル信号は、ノイズが小さい方から大きい方に順に０〜１０の各段階で数値が設定されている。【００５２】
また、図７に示すように、ソース種別判別信号は、音声ソースであると明確に判別可能な場合は＋２、音楽ソースであると明確に判別可能な場合は−２、音声ソースおよび音楽ソースのいずれとも判別できない（すなわち中間である）場合は０として数値が設定されている。そして、＋２の状態ほど明確ではないが音声ソースであると判定される場合を＋１、−２の状態ほど明確ではないが音楽ソースであると判定される場合を−１として数値が設定されている。【００５３】
また、図８に示すように、再生モード判別信号は、モノラルモードでの再生が適していると明確に判別可能な場合は＋２、ステレオモードでの再生が適していると明確に判別可能な場合は−２、モノラルモードでの再生およびステレオモードでの再生のいずれが適しているか判別できない（すなわち中間である）場合は０として数値が設定されている。そして、＋２の状態ほど明確ではないがモノラルモードでの再生が適していると判定される場合を＋１、−２の状態ほど明確ではないがステレオモードでの再生が適していると判定される場合を−１として数値が設定されている。【００５４】
このように数値化された電界レベル信号とノイズレベル信号が、図４に示すようにＡＲＣ部３０８のミュート制御量調整回路４０５に入力されると、ミュート制御量調整回路４０５は、入力された電界レベル信号およびノイズレベル信号の数値に基づいて、ミュート回路４０４におけるミュート制御動作の制御量を調整する。【００５５】
ここでは、電界レベル信号およびノイズレベル信号の少なくとも一方の信号が所定の数値以上の時、ミュート制御量調整回路４０５は、ミュート回路４０４のミュート制御動作を開始させる。そして、当該信号の数値の増加に伴って、制御量を増加させてミュート制御動作を促進するとともに、当該信号の数値の減少に伴って、制御量を低減させてミュート制御動作を抑制する。【００５６】
一方、電界レベル信号およびノイズレベル信号が所定の数値よりも小さいと、ミュート制御量調整回路４０５はミュート回路４０４におけるミュート制御動作の制御量を０とする。それにより、ミュート制御動作は実行されない。【００５７】
図４に示すように、図３のＦＭ検波部３０６を経てＡＲＣ部３０８に入力されたＦＭ検波信号は、まずミュート回路４０４に入力され、ここで上記のような電界レベル信号とノイズレベル信号とに基づくミュート制御を受ける。そして、ミュート回路４０４を経たＦＭ検波信号は、続いて、ハイカット回路４０６に出力され、以下のようなハイカット制御を受ける。【００５８】
ＦＭ検波信号のハイカット制御では、ハイカット回路４０６におけるハイカット制御動作の制御量が、ハイカット制御量調整回路４０９により調整される。図９は、図４のハイカット制御量調整回路４０９の動作を説明するためのフローチャートである。また、図１０は、図４の記憶部３０８ｂに記憶されたデータの内容を示す概略図である。【００５９】
図９に示すように、ハイカット制御量調整回路４０９（図４参照）は、数値化された電界レベル信号、ノイズレベル信号およびソース種別信号の各数値に基づいて、ハイカット回路４０６（図４参照）におけるハイカット制御動作の制御量を調整する。具体的には、まず、ハイカット制御量調整回路４０９（図４参照）は、電界レベル信号の数値を取得するとともに（ステップＳ９０１）、ノイズレベル信号の数値を取得し（ステップＳ９０２）、さらに、ソース種別判別信号の数値を取得する（ステップＳ９０３）。【００６０】
ところで、前述のように、記憶部３０８ｂ（図４参照）には、ハイカット回路４０６（図４参照）におけるハイカット制御動作の制御量を設定するためのデータ、すなわち図１０に示すデータが、予め記憶されている。ハイカット制御量調整回路４０９（図４参照）は、取得した電界レベル信号、ノイズレベル信号およびソース種別判別信号の各数値に基づき、検索部３０８ｃ（図４参照）を介して、記憶部３０８ｂ（図４参照）に記憶された図１０のデータから最適制御値を検索し（ステップＳ９０４）、最適制御値を取得する（ステップＳ９０５）。【００６１】
そして、この最適制御値に従って、ハイカット制御量調整回路４０９は、ハイカット回路４０６のハイカット制御動作における制御量を調整し（ステップＳ９０６）、当該回路４０６にハイカット制御動作を実行させる（ステップＳ９０７）。この場合、最適制御値は、０〜１０までの各段階で設定されており、ハイカット制御量調整数回路４０９が全くハイカット制御動作を行わない状態を０とし、ハイカット制御動作が最大限に行われる状態を１０としており、最適制御値の増加とともにハイカット制御動作における制御量が増加する。【００６２】
このように、ＡＲＣ部３０８のハイカット制御部４０２は、従来と同様に電界レベル信号およびノイズレベル信号に応じてハイカット制御動作を行い、さらに、ソース種別判別信号に基づきソース種別も考慮して当該動作を行う。したがって、ハイカット制御動作により、ＦＭ検波信号に含まれるノイズの低減化が図られるとともに、さらに、ＦＭソースの種別、すなわち、音楽ソースおよび音声ソースのいずれであるかに適切に対応して良好な聴感を実現することが可能となる。このようにしてハイカット制御部４０２で処理されたＦＭ検波信号は、続いてセパレーション回路４１０に入力される。【００６３】
ＦＭ検波信号に対してセパレーション制御部４０３で実行されるセパレーション制御動作では、セパレーション回路４１０におけるセパレーション制御動作の制御量が、セパレーション制御量調整回路４１２により調整される。セパレーション制御量調整回路４１２は、前述した図９に示すハイカット制御動作の場合と同様、検索部３０８ｃ（図４参照）を介して、記憶部３０８ｂ（図４参照）に予め記憶されたデータから最適制御値を検索し、取得された当該最適制御値に基づいて、セパレーション回路４１０の制御を行う。【００６４】
ここで、セパレーション制御量調整回路４１２は、ハイカット制御量調整回路４０９の場合とは異なり、ソース種別判別信号の代わりに、図８のように数値化された再生モード判別信号を用いてセパレーション回路４１０の制御を行う。すなわち、この場合には、図１０に示すデータのうちソース種別判別信号の代わりに再生モード判別信号の数値が設定されたデータが記憶部３０８ｂ（図４参照）に予め記憶されており、当該データを用いて、電界レベル信号とノイズレベル信号と再生モード判別信号とに基づいてデータ検索が行われる。そして、かかる検索により、セパレーション制御動作の最適制御値が設定され、当該最適制御値に基づいて、セパレーション制御量調整回路４１２が、セパレーション回路４１０のハイカット制御動作における制御量を調整して当該動作を制御する。【００６５】
このように、ＡＲＣ部３０８のハイカット制御部４０２は、従来と同様に電界レベル信号およびノイズレベル信号に応じてセパレーション制御動作を行い、さらに、再生モード判別信号に基づき適切な再生モードを考慮して当該動作を行う。したがって、セパレーション制御動作により、ＦＭ検波信号に含まれるノイズの低減化が図られるとともに、さらに、ＦＭソースの最適な再生モード、すなわち、ステレオモードおよびモノラルモードのいずれか適切なモードに対応して良好な聴感を実現することが可能となる。このようにしてセパレーション制御部４０３で処理されたＦＭ検波信号は、続いて、ステレオ復調部３０９（図３参照）へ出力される。【００６６】
次に、上記のようにＦＭ検波信号からソース種別判別信号および再生モード判別信号を取得してＡＲＣ部３０８に出力するソース判別部３０７（図３参照）の詳細について説明する。図１１は、図３のソース判別部３０７の構成の一例を示すブロック図である。【００６７】
図１１に示すように、ソース判別部３０７は、ＦＦＴ（高速フーリエ・コサイン・サイン変換）分析器１１０１と、音楽／音声ソース判別回路１１０２と、ステレオ／モノラルモード判別回路１１０３とを備える。ソース判別部３０７には、ＩＦ部３０４（図３参照）からの出力信号またはＦＭ検波部３０６（図３参照）からの出力信号が入力される。ソース判別部３０７に入力されるのは上記いずれの信号であってもよいが、ＦＭ検波部３０６（図３参照）からの出力信号であることが好ましい。【００６８】
ＦＦＴ分析器１１０１は、ソース判別部３０７に入力された信号をＦＦＴ変換し、帯域毎のスペクトラムを生成する。そして、生成されたスペクトラムの情報が、音楽／音声ソース判別回路１１０２に出力されるとともに、ステレオ／モノラルモード判別回路１１０３に出力される。【００６９】
まず、ソース判別部３０７における処理の概要を説明すると、音楽／音声ソース判別回路１１０２は、入力されたスペクトラムの情報に基づいて、ＦＭソースが、音楽ソースであるか音声ソースであるかを判別する。ここでは、取得されたスペクトラムの高域成分の有無および当該成分の出力レベルの大小に応じて、ＦＭソースの判別が行われる。具体的には、高域成分の出力レベルが所定値以上であれば音楽ソースであると判別され、所定値より小さければ音声ソースであると判定する。そして、この判定結果が、ソース種別判別信号として、前述のようにＡＲＣ部３０８（図４参照）のハイカット制御量調整回路４０９（図４参照）に出力される。【００７０】
一方、ステレオ／モノラルモード判別回路１１０３は、ＦＦＴ分析器１１０１で取得されたスペクトラムの情報に基づいて、ＦＭソースの再生モードとしてモラルモードおよびステレオモードのいずれが適切であるかを判別する。そして、この判定結果が、再生モード判別信号として、前述のようにＡＲＣ部３０８（図４参照）のセパレーション制御量調整回路４１２（図４参照）に出力される。【００７１】
ここで、ステレオ放送にかかるＦＭソースは、１５〜５０ｋＨｚのメイン信号（すなわち（Ｌ＋Ｒ）信号）と、１９ｋＨｚのパイロット信号と、サブ信号（すなわち３８ｋＨｚのサブキャリアを±１５ｋＨｚ変調した（Ｌ−Ｒ）信号）とから構成されるコンポジット信号から構成され、一方、モノラル放送にかかるＦＭソースは、サブ信号を含まない、言い換えれば、Ｌ−Ｒ＝０となる。したがって、ステレオ／モノラルモード判別回路１１０３では、取得されたスペクトラムに基づいてサブ信号の有無を検出し、それにより、ＦＭソースの適切な再生モードの判別を行う。【００７２】
以下に、音楽／音声ソース判別回路１１０２およびステレオ／モノラルモード判別回路１１０３における具体的な判別方法について説明する。図１２〜図１４は、図１１のソース判別回路３０７におけるソース種別判別動作および再生モード判別動作を説明するための図である。【００７３】
例えば、図１２に示すように、図中の矢印で示すメイン信号の高域成分Ａ、図中の矢印で示すパイロット信号Ｂおよび図中の矢印で示すサブ信号Ｃの各々についてスペクトラムが取得された場合、メイン信号の高域成分Ａの出力レベルが所定値以上であることから、音楽／音声ソース判別回路１１０２（図１１参照）は、ＦＭソースのソース種別を音楽ソースと判別する。また、サブ信号Ｃのスペクトラムが存在することから、ステレオ／モノラルモード判別回路１１０３（図１１参照）は、ＦＭソースがステレオモードでの再生に適していると判別する。【００７４】
また、図１３に示すように、図中の矢印で示すメイン信号の高域成分Ａと図中の矢印で示すパイロット信号Ｂの各々についてはスペクトラムが取得されるが、図中の矢印で示すサブ信号Ｃについてはスペクトラムが取得されない場合には、サブ信号Ｃが存在しないことから、ステレオ／モノラルモード判別回路１１０３（図１１参照）は、ＦＭソースがモノラルモードでの再生に適していると判別する。また、この場合、メイン信号の高域成分Ａが存在することから、音楽／音声ソース判別回路１１０２（図１１参照）は、ＦＭソースのソース種別を音楽ソースと判別する。【００７５】
また、図１４に示すように、図中の矢印で示すメイン信号Ａ、図中の矢印で示すパイロット信号Ｂおよび図中の矢印で示すサブ信号Ｃの各々についてスペクトラムが取得されるが、メイン信号の高域成分Ａの出力レベルが所定値より小さい場合には、音楽／音声ソース判別回路１１０２（図１１参照）はＦＭソースのソース種別を音声ソースと判別し、また、サブ信号Ｃのスペクトラムが存在することから、ステレオ／モノラルモード判別回路１１０３（図１１参照）は、ＦＭソースがステレオモードでの再生に適していると判別する。【００７６】
なお、上記においては、ソース判別部３０７がＦＦＴ分析器１１０１を備える場合について説明したが、ＦＦＴ分析器１１０１の代わりに、ウェーブレット（ｗａｖｅｌｅｔ）分析器を備えた構成であってもよい。この場合には、ウェーブレット分析器により、図１２〜図１４のようなメイン信号の高域成分、パイロット信号およびサブ信号のスペクトラムを取得することが可能となる。【００７７】
また、ＦＦＴ分析器１１０１やウェーブレット分析器を用いてスペクトラム分析を行う以外に、ソース判別回路３０７は、ＢＰＦを用いて簡易的にメイン信号の高域成分とサブ信号とを分離する構成であってもよい。図１５は、ソース判別部３０７の構成の他の例を示すブロック図である。【００７８】
図１５に示すように、この場合のソース判別部３０７は、図１１のＦＦＴ分析器１１０１の代わりにＢＰＦ１５０１を備えた点が、図１１のソース判別部３０７と異なっている。なお、図１５では、図１１と同一の構成要素については同一符号を付している。【００７９】
かかるソース判別部３０７では、ＢＰＦ１５０１により、ＦＭ電波信号からメイン信号の高域成分とサブ信号とを分離する。そして、ＢＰＦ１５０１の後段に配設された音楽／音声ソース判別回路１１０２およびステレオ／モノラルモード判別回路１１０３の各々は、分離されたメイン信号の高域成分およびサブ信号に基づいて、ソース種別および再生モードの判別を行う。このようにＢＰＦ１５０１を備えるソース判別部３０７は、図１１のＦＦＴ分析器１１０１やウェーブレット分析器を備えたソース判別部３０７に比べて、判別精度は劣るものの、構成の簡素化や回路の小型化の点で有効である。【００８０】
図１６〜図１８は、図１５のソース判別部３０７におけるソース種別判別動作および再生モード判別動作を説明するための図である。具体的には、図１５のＢＰＦ１５０１を用いて分離されたメイン信号の高域成分とサブ信号とを示している。【００８１】
例えば、図１６に示すように、図中の矢印で示すメイン信号の高域成分Ｄと図中の矢印で示すサブ信号Ｅとが同様の出力レベルで取得された場合には、図１２の場合と同様、メイン信号の高域成分Ｄの出力レベルが所定値以上であることから、音楽／音声ソース判別回路１１０２（図１５参照）は、ＦＭソースのソース種別を音楽ソースと判別し、また、サブ信号Ｅが存在することから、ステレオ／モノラルモード判別回路１１０３（図１５参照）は、ＦＭソースはステレオモードでの再生に適していると判別する。【００８２】
また、図１７に示すように、図中の矢印で示すメイン信号の高域成分Ｄは取得されるが図中の矢印で示すサブ信号Ｅは取得されない場合には、図１３の場合と同様、サブ信号Ｅが存在しないことから、ステレオ／モノラルモード判別回路１１０３（図１５参照）は、ＦＭソースがステレオモードでの再生に適していると判別する。また、この場合、メイン信号の高域成分Ｄが存在することから、音楽／音声ソース判別回路１１０２は、ＦＭソースのソース種別を音楽ソースと判別する。【００８３】
また、図１８に示すように、図中の矢印で示すメイン信号の高域成分Ｄおよび図中の矢印で示すサブ信号Ｅがそれぞれ取得されるが、メイン信号の高域成分Ｄの出力レベルが所定値より小さい場合には、音楽／音声ソース判別回路１１０２（図１５参照）はＦＭソースのソース種別を音声ソースと判別し、また、ステレオ／モノラルモード判別回路１１０３（図１５参照）は、サブ信号Ｅが存在することから、ＦＭソースがステレオモードでの再生に適していると判別する。【００８４】
以上のように、実施例１における受信装置によれば、電界レベル、ノイズレベルおよびＦＭソースの内容に関する情報（すなわちソース種別および再生モード）に応じて、ＦＭ検波信号のミュート制御、ハイカット制御およびセパレーション制御の各制御が行われる。それゆえ、移動によりＦＭ電波の状態（例えば、電界レベル等）が変動して受信状態が変化しても、ノイズの低減化が図られ、かつ、ＦＭソースに応じたに適切な状態を維持することが可能となる。したがって、従来のノイズの低減化のみに着目して各制御が行われる受信装置に比べて、より良好な聴感を安定して実現することが可能となる。
【実施例２】
【００８５】
本発明の実施例２における受信装置は、図３に示す実施例１の受信装置と同様の構成を有し、図４に示すＡＲＣ部３０８の受信制御部３０８ａの構成および図１１に示すソース判別部３０７の構成を有する。なお、実施例２のＡＲＣ部３０８は、受信制御部３０８ａのみから構成され、実施例１の場合のような記憶部３０８ｂおよび検索部３０８ｃは不要である。【００８６】
かかる構成の実施例２のＡＲＣ部３０８のハイカット制御部４０２（ともに図４参照）におけるハイカット制御動作の制御量およびセパレーション制御部４０３（図４参照）におけるセパレーション制御動作の制御量の調整方法は、実施例１の場合と、以下の点で異なっている。【００８７】
以下においては、ハイカット制御部４０２（図４参照）におけるハイカット制御動作の制御量の調整方法を例示して実施例２の特徴的構成を説明するが、セパレーション制御部４０３（図４参照）におけるセパレーション制御動作についても、ハイカット制御動作における制御量の調整方法と同様の方法により、制御量が調整される。【００８８】
図１９は、実施例２のハイカット制御部４０２（図４参照）のハイカット制御量調整回路４０９（図４参照）の動作を説明するためのフローチャートである。図１９に示すように、ハイカット制御部４０２（図４参照）におけるハイカット制御動作では、ハイカット制御量調整回路４０９（図４参照）が、入力された電界レベル信号およびノイズレベル信号から、図５および図６のように数値化された電界レベル信号およびノイズレベル信号を取得する（ステップＳ１９０１およびステップＳ１９０２）。そして、ハイカット制御量調整回路４０９（図４参照）は、このようにして取得された電界レベル信号およびノイズレベル信号の数値とを比較し、数値が大きい信号の値を、基準制御値として取得する（ステップＳ１９０３）。【００８９】
ところで、ハイカット制御量調整回路４０９（図４参照）には、上記の電界レベル信号およびノイズレベル信号の他に、図７のように数値化されたソース種別判別信号が入力され、当該信号の数値が取得される（ステップＳ１９０４）。そして、ハイカット制御量調整回路４０９（図４参照）は、取得したソース種別判別信号の数値と、前述の基準制御値とから、ハイカット回路４０６に対するハイカット制御調整回路４０９（図４参照）の最適制御値を取得する（ステップＳ１９０５）。【００９０】
例えば、ここでは、ハイカット制御量調整回路４０９（図４参照）が加算器を備え、電界レベル信号とノイズレベル信号とから取得された基準制御値に、ソース種別判別信号の数値を加算して最適制御値を算出する。ここで、最適制御値とは、ノイズの低減化が図られ、かつ、ソース種別に対応した最適なハイカット制御動作を実現可能とするハイカット制御量調整回路４０９（図４参照）の制御値である。【００９１】
上記のようにして最適制御値を取得したハイカット制御量調整回路４０９（図４参照）は、当該最適制御値に基づいて、ハイカット回路４０６（図４参照）におけるハイカット制御動作の制御量を調整する（ステップＳ１９０６）。例えば、最適制御値は、０〜１０までの各段階で設定され、ハイカット制御量調整回路４０９（図４参照）が全くハイカット制御動作を行わない状態を０とし、ハイカット制御動作が最大限に行われる状態を１０としており、数値の増加とともにハイカット制御動作が促進される。そして、ハイカット回路４０６（図４参照）は、このように調整された制御量に基づいて、ハイカット制御動作を実行する（ステップＳ１９０７）。【００９２】
以上のように、実施例２のＡＲＣ部３０８のハイカット制御部４０２（ともに図４参照）では、実施例１において前述した効果と同様の効果が得られる。また、ここでは説明を省略したが、実施例２のＡＲＣ部３０８のセパレーション制御部４０３（ともに図４参照）では、ソース種別判別信号の代わりに再生モード判別信号を用いる点を除いて、セパレーション制御量調整回路４１２（図４参照）において、上記のハイカット制御量調整回路４０９（図４参照）と同様のセパレーション制御動作の制御量の調整が行われる。それにより、実施例１において前述した効果と同様の効果が得られる。したがって、実施例２の受信装置においては、実施例１の受信装置において前述した効果と同様の効果が得られる。【００９３】
上記の実施例１および実施例２は、本発明にかかる受信装置の例示であって、本発明にかかる受信装置はこれに限定されるものではない。例えば、上記においては、ＦＭソースに応じてハイカット制御動作の制御量とセパレーション制御動作の制御量との両方が調整される場合を例示したが、例えば、ハイカット制御動作およびセパレーション制御動作のいずれか一方の制御動作がＦＭソースに応じて制御される構成であってもよい。【００９４】
また、上記においては、ハイカット制御動作における最適制御値の設定に関するデータとセパレーション制御動作における最適制御値の設定に関するデータとが、共通の記憶部３０８ｂに記憶されており、かつ、共通の検索部３０８ｃを介して、各制御動作の最適制御値をこれらのデータから検索する場合を例示して説明したが、ハイカット制御部４０２およびセパレーション制御部４０３の各々に対応して、記憶部３０８ｃおよび検索部３０８ｃが各制御部４０２，４０３に個別に配設された構成であってもよい。【００９５】
また、上記においては、ＦＭ放送を受信する場合を例示して説明したが、ＡＭ放送を受信する場合においても、ＡＲＣ部によりハイカット制御やミュートコントロール等が行われて受信状態の自動制御が行われることから、本発明は、ＡＭ放送の受信装置にも適用可能である。例えば、ＡＭ放送の受信装置のＡＲＣ部において、ＡＭ検波信号の電界レベルおよびノイズレベルに加え、さらにＡＭソースに対応してＡＲＣ部におけるハイカット制御動作の制御量を調整する構成であってもよい。【００９６】
上記のような本発明にかかる受信装置は、種々の用途で使用可能であるが、例えば、移動によりＦＭ電波の状態が顕著に変動する車載用等の移動体用受信装置に適用すると、有効な効果が奏される。
【図１】
2006054702.tif 000002
【図２】
2006054702.tif 000003
【図３】
2006054702.tif 000004
【図４】
2006054702.tif 000005
【図５】
2006054702.tif 000006
【図６】
2006054702.tif 000007
【図７】
2006054702.tif 000008
【図８】
2006054702.tif 000009
【図９】
2006054702.tif 000010
【図１０】
2006054702.tif 000011
【図１１】
2006054702.tif 000012
【図１２】
2006054702.tif 000013
【図１３】
2006054702.tif 000014
【図１４】
2006054702.tif 000015
【図１５】
2006054702.tif 000016
【図１６】
2006054702.tif 000017
【図１７】
2006054702.tif 000018
【図１８】
2006054702.tif 000019
【図１９】
2006054702.tif 000020
【手続補正書】
【提出日】平成18年9月13日(2006.9.13)
【手続補正１】
【補正対象書類名】特許請求の範囲
【補正対象項目名】全文
【補正方法】変更
【補正の内容】
【書類名】請求の範囲
【請求項１】  受信した放送電波信号の電界レベルとノイズレベルとを検出するとともに、当該検出の結果に基づいて前記放送電波信号の受信状態を制御する受信制御手段を備えた受信装置において、
前記放送電波信号を媒介にして送信される放送ソースに関する情報を前記放送電波信号から取得するソース判別手段をさらに備え、
前記受信制御手段は、前記検出の結果と前記ソース判別手段で取得された前記放送ソースに関する情報とに基づいて、前記受信状態を制御することを特徴とする受信装置。
【請求項２】  前記受信制御手段は、
受信状態設定要素である前記電界レベルと前記ノイズレベルと前記放送ソースに関する情報と、これらの３つの前記受信状態設定要素の組み合わせに対応して設定された受信状態最適制御量と、を格納したデータを予め記憶した記憶手段と、
検出された前記電界レベルと前記ノイズレベルと前記放送ソースに関する情報とに基づいて、前記記憶手段に記憶したデータから前記受信状態における最適制御量を検索する検索手段と、を備え、
前記検索手段による検索で取得された当該最適制御量に基づいて、前記受信状態を制御することを特徴とする請求項１に記載の受信装置。
【請求項３】  前記受信制御手段は、
検出された前記電界レベルと前記ノイズレベルとに基づいて、前記受信状態における第１の制御量を取得するとともに、検出された前記放送ソースの情報に基づいて、前記受信状態における第２の制御量を取得し、
前記第１の制御量と前記第２の制御量とを演算処理して前記受信状態の最適制御量を取得し、当該最適制御量に基づいて、前記受信状態を制御することを特徴とする請求項１に記載の受信装置。
【請求項４】  前記ソース判別手段は、前記放送ソースが音楽ソースおよび音声ソースのいずれのソース種別であるかを判別するソース種別判別手段を備えることを特徴とする請求項１に記載の受信装置。
【請求項５】  前記ソース種別判別手段は、前記放送電波信号に周波数が所定値以上の高域成分が含まれるか否かにより、前記ソース種別の判別を行うことを特徴とする請求項４に記載の受信装置。
【請求項６】  前記受信制御手段は、前記受信状態の制御としてハイカット制御を行い、前記放送電波信号の前記電界レベルと前記ノイズレベルと、前記ソース種別の判別結果とに応じて、前記ハイカット制御における制御量を調整することを特徴とする請求項４または５に記載の受信装置。
【請求項７】  前記ソース判別手段は、前記放送ソースがステレオモードおよびモノラルモードのいずれの再生モードに適するかを判別する再生モード判別手段を備えることを特徴とする請求項１に記載の受信装置。
【請求項８】  前記再生モード判別手段は、前記放送電波信号にサブ信号が含まれるか否かにより、前記再生モードの判別を行うことを特徴とする請求項７に記載の受信装置。
【請求項９】  前記受信制御手段は、前記受信状態の制御としてセパレーション制御を行い、前記放送電波信号の前記電界レベルと前記ノイズレベルと、前記再生モードの判別結果とに応じて、前記セパレーション制御における制御量を調整することを特徴とする請求項７または８に記載の受信装置。
【請求項１０】  前記ソース判別手段は、ＦＦＴ分析手段、ｗａｖｅｌｅｔ分析手段またはＢＰＦを備えることを特徴とする請求項１に記載の受信装置。
【請求項１１】  受信した放送電波信号の電界レベルとノイズレベルとを検出する検出工程と、当該検出の結果に基づいて前記放送電波信号の受信状態を制御する受信制御工程とを含む受信方法において、
前記放送電波信号を媒介にして送信される放送ソースに関する情報を前記放送電波信号から取得するソース判別工程をさらに含み、
前記受信制御工程は、前記検出の結果と前記ソース判別工程で取得された前記放送ソースに関する情報とに基づいて、前記受信状態を制御することを特徴とする受信方法。
【手続補正２】
【補正対象書類名】明細書
【補正対象項目名】０００５
【補正方法】変更
【補正の内容】
【０００５】
情報とは、具体的には、ＦＭソースが、音楽ソースであるか音声ソースであるかの情報である。なお、ここでは、人の話し声から構成されるＦＭソースを、音声ソースと呼ぶ。
［００２２］
ここで、ＦＭソースが音楽ソースである場合には、ＦＭ検波信号が高周帯域の成分（すなわち高域成分）を含むのに対して、音声ソースである場合には、ＦＭ検波信号が高域成分を含まない。それゆえ、電界レベルおよびノイズレベルが同じである状況下では、音声ソースの場合は、音楽ソースの場合よりもＡＲＣ部１０７のハイカット制御における制御量を増加させてハイカットを促進させた方が良好な聴感を実現することが可能となる。
［００２３］
上記のようにＦＭソースに対応して受信状態を適宜制御しようとすると、セパレーション制御、ハイカット制御およびミュート制御の各制御における制御量を、ソースの種別や出力モードに応じてそれぞれ適切に設定する必要がある。しかしながら、受信装置では、前述のように、各制御における制御量が電界レベルやノイズレベルに基づいて設定されているため、ＦＭソースに対応して適切な受信状態の制御を実現することができない。
【課題を解決するための手段】
［００２４］
請求項１に記載の発明にかかる受信装置は、受信した放送電波信号の電界レベルとノイズレベルとを検出するとともに、当該検出の結果に基づいて前記放送電波信号の受信状態を制御する受信制御手段を備えた受信装置において、前記放送電波信号を媒介にして送信される放送ソースに関する情報を前記放送電波信号から取得するソース判別手段をさらに備え、前記受信制御手段は、前記検出の結果と前記ソース判別手段で取得された前記放送ソースに関する情報とに基づいて、前記受信状態を制御することを特徴とする。
［００２５］
請求項１１に記載の発明にかかる受信方法は、受信した放送電波信号の電界レベルとノイズレベルとを検出する検出工程と、当該検出の結果に基づいて前記放送電波信号の受信状態を制御する受信制御工程とを含む受信方法において、前記放送電波信号を媒介にして送信される放送ソースに関する情報を前記放送電波信号から取得するソース判別工程をさらに含み、前記受信制御工程は、前記検出の結果と前記ソース判
【手続補正３】
【補正対象書類名】明細書
【補正対象項目名】０００６
【補正方法】変更
【補正の内容】
【０００６】
別工程で取得された前記放送ソースに関する情報とに基づいて、前記受信状態を制御することを特徴とする。
【図面の簡単な説明】
［００２６］
［図１］図１は、従来の受信装置の構成を示すブロック図である。
［図２］図２は、図１のＡＲＣ部における受信状態の制御動作を説明するための図である。
［図３］図３は、本発明の実施の形態にかかる受信装置の構成を示すブロック図である。
［図４］図４は、本発明の実施例１における受信装置のＡＲＣ部の構成を示すブロック図である。
［図５］図５は、電界レベル信号を説明するための図である。
［図６］図６は、ノイズレベル信号を説明するための図である。
［図７］図７は、ソース種別判別信号を説明するための図である。
［図８］図８は、再生モード判別信号を説明するための図である。
［図９］図９は、ハイカット制御量調整回路の動作を説明するためのフローチャートである。
［図１０］図１０は、記憶部に記憶されたデータの内容を示す概略図である。
［図１１］図１１は、ソース判別部の構成の一例を示すブロック図である。
［図１２］図１２は、図１１のソース判別部におけるソース種別判別動作および再生モード判別動作を説明するための図である。
［図１３］図１３は、図１１のソース判別部におけるソース種別判別動作および再生モード判別動作を説明するための図である。
［図１４］図１４は、図１１のソース判別部におけるソース種別判別動作および再生モード判別動作を説明するための図である。
［図１５］図１５は、ソース判別部の構成の他の例を示すブロック図である。
［図１６］図１６は、図１５のソース判別部におけるソース種別判別動作および再生モード判別動作を説明するための図である。
［図１７］図１７は、図１５のソース判別部におけるソース種別判別動作および再生モー
【国際調査報告】
2006054702.tif 000021
2006054702.tif 000022
2006054702.tif 000023
2006054702.tif 000024